(57)【要約】【課題】パネル全体の薄型化を図り、かつ作業工程の簡素化を図る。【解決手段】フレーム３０と、フレーム３０内に配設され、フレーム３０を介して外方に臨まされる表示素子ユニット３１と、フレーム３０と表示素子ユニット３１との間に挟持され、一面に導電部４１を有すると共に他面に弾性部４２を有するシート３４とを備える。【選択図】図５
2009162891.tif 000002
【特許請求の範囲】
【請求項１】
フレームと、
上記フレーム内に配設され、該フレームを介して外方に臨まされる表示素子ユニットと、
上記フレームと上記表示素子ユニットとの間に挟持され、一面に導電部を有すると共に他面に弾性部を有するシートとを備える表示パネル。
【請求項２】
上記導電部は、金属箔からなることを特徴とする請求項１記載の表示パネル。
【請求項３】
上記シートは、支持体の一方の面に金属箔を貼着するとともに上記支持体の他方の面に弾性シートを貼着した後、上記フレームの形状に応じて打ち抜かれることにより形成されることを特徴とする請求項２記載の表示パネル。
【請求項４】
上記フレームと上記シートとの間に配設され、上記導電部と接触されるアース部材を有することを特徴とする請求項１記載の表示パネル。
【請求項５】
上記表示素子ユニットは、液晶パネル部とタッチパネルとが結合されて構成されていることを特徴とする請求項１記載の表示パネル。
【請求項６】
表示パネルを備えた電子機器において、
上記表示パネルは、
フレームと、
上記フレーム内に配設され、該フレームを介して外方に臨まされる表示素子ユニットと、
上記フレームと上記表示素子ユニットとの間に挟持され、一面に導電部を有すると共に他面に弾性部を有するシートとを備える電子機器。
【発明の詳細な説明】
【技術分野】
【０００１】
本発明は、画像を表示する表示パネル及び表示パネルを備えた電子機器に関し、特に、表示パネルを構成する部品点数の削減が図られた表示パネル及び電子機器に関する。
【背景技術】
【０００２】
従来より、ビデオカメラやデジタルカメラ、携帯電話等の携帯型電子機器では、液晶パネル等の表示パネルを備えたものが広く提供されている。また、この種の電子機器は、表示パネルとして、液晶パネルにタッチパネルを重畳させた入力表示モジュールを用いることにより、画面に触れることによる操作を可能として使い勝手を向上させたものも提供されている。
【０００３】
この種の入力表示モジュールを用いた表示パネルは、一般に、液晶パネルを外方に臨ませる窓部が形成された電子機器筐体を構成するフレーム及び裏面カバーからなる外筐体と、液晶パネル及びタッチパネルが重畳された入力表示モジュールと、入力表示モジュールがタッチされる際のがたつき吸収や塵埃等の侵入防止を図るシート状のクッションとを備え、入力表示モジュールがクッションを介してフレームの外周縁部に載置されると共に裏面カバーによって外周縁部との間で挟持されている（例えば、特許文献１参照）。
【０００４】
ところで、液晶パネルとタッチパネルとを備えた入力表示モジュールでは、ペンや指でタッチパネルが押下されることから、指先やペン先に静電気が帯電していると、かかる静電気によって液晶パネルに設けられた回路基板の破損や誤動作を引き起こすおそれがある。
【０００５】
そこで、入力表示モジュールを用いた電子機器のなかには、外筐体にアース板を設けることにより、静電気を取り除くようにしたものも提案されている。アース板は、例えばステンレス鋼（ＳＵＳ）等の金属板を枠状に打ち抜き成型し、フレームの外周縁部の上に載置されるとともに、フレームにビス止めされることによりグランド接続されている。これにより、タッチパネルの操作によって発生した静電気によるノイズをアース板で吸収して、タッチ入力操作を確実に行うことができる。
【特許文献１】特開平１０−２７０６６号公報
【発明の開示】
【発明が解決しようとする課題】
【０００６】
しかし、かかるアース板は、平板状のＳＵＳ等を、フレーム形状に応じて内部を打ち抜いて形成するため、材料のロスが多くなる。また、平板状のＳＵＳにフレーム形状に応じた打ち抜き加工を施すための金型が必要となり、製造設備及び製造工程が増加してしまう。さらに、アース板をフレームの外周縁部に組み付けるための作業工数がかかる問題もある。
【０００７】
また、アース板は、組み付け作業や、輸送時等における変形を防止するために、所定の強度を持たせる必要があることから、相当の厚み（例えば、０．１５ｍｍ〜０．２ｍｍ）を備える。このため、表示パネル全体の厚さが増してしまい、装置全体の小型化を阻害してしまう。
【０００８】
そこで、本発明は、入力表示モジュールを用いた表示パネルにおいて、アース機能を備えると共に、パネル全体の薄型化を図り、かつ作業工程の簡素化を図ることができる表示パネル及びこの表示パネルを用いた電子機器を提供することを目的とする。
【課題を解決するための手段】
【０００９】
上述した課題を解決するために、本発明に係る表示パネルは、フレームと、上記フレーム内に配設され、該フレームを介して外方に臨まされる表示素子ユニットと、上記フレームと上記表示素子ユニットとの間に挟持され、一面に導電部を有すると共に他面に弾性部を有するシートとを備えるものである。
【００１０】
また、本発明に係る電子機器は、表示パネルを備えた電子機器において、表示パネルは、フレームと、上記フレーム内に配設され、該フレームを介して外方に臨まされる表示素子ユニットと、上記フレームと上記表示素子ユニットとの間に挟持され、一面に導電部を有すると共に他面に弾性部を有するシートとを備えるものである。
【発明の効果】
【００１１】
本発明によれば、一面に導電部を有するとともに他面に弾性部を有するシートを用いているため、クッション及びアース用の金属フレームをそれぞれ配設する必要がなく、表示パネルの薄型化及びかかる表示パネルを用いた電子機器全体の薄型化を図ることができ、また、製造設備及び製造工数の削減を図ることができる。
【発明を実施するための最良の形態】
【００１２】
以下、本発明をビデオカメラに適用した場合について、図面を参照しながら詳細に説明する。本発明が適用されたビデオカメラ１は、図１〜図３に示すように、片手で把持して操作可能なビデオカメラであり、機器本体２と、機器本体２に回動可能に連結された表示パネル３とを備える。ビデオカメラ１は、主記録媒体として例えば機器本体２に内蔵されたハードディスクが用いられ、撮像レンズを介して取り込まれた光学的な画像をＣＣＤやＣＭＯＳ等の撮像素子で電気的な信号に変換した後、ハードディスクに対して記録又は／及び再生するとともに表示パネル３に表示できるようにし、また内蔵マイクを介して取り込まれた音声をＡＤ／ＤＡコンバータで音声信号に変換し、ハードディスクに対して記録及び／又は再生するとともに内蔵スピーカから出力できるようにしたものである。
【００１３】
機器本体２は、前面２ａに撮像レンズ１０が形成され、右側面２ｂにハードディスクが内蔵されるとともにユーザによって把持される把持部１１が形成されている。把持部１１は、側面にユーザの手を固定するグリップベルト１２が形成され、背面及び上面には、動画撮影に用いるスタート／ストップボタン１３、静止画撮影に用いるレリーズボタン１４、ズームレバー１５が設けられる他、動作状況を表示する各種表示部１６、アダプタジャック１７等が設けられている。
【００１４】
また機器本体２は、背面２ｃにバッテリパック２１が装着されるバッテリ装着部２０が形成されている。バッテリ装着部２０は、バッテリパック２１を保持する図示しない係合保持部が形成され、機器本体２の下面側からバッテリパック２１が上面側へスライドされることにより、バッテリパック２１を保持する。これにより機器本体２は、バッテリ装着部２０の上部に設けられた端子部とバッテリパック２１の上面に設けられたバッテリ端子とが接続され、駆動電源が供給される。
【００１５】
装置本体２の左側面２ｄには、表示パネル３が支持されている。表示パネル３は、装置本体２の左側面２ｄの前側において、ヒンジ機構２５を介して接続されている。ヒンジ機構２５は、装置本体２の上下方向に亘って設けられる第１の回動軸と、装置本体２の左右方向に亘って設けられる第２の回動軸とを有し、表示パネル３を互いに直交する図２中矢印Ａ方向及び矢印Ｂ方向へ回動可能に支持している。
【００１６】
表示パネル３は、図２及び図４に示すように、例えばタッチパネルが重畳された液晶表示パネルが用いられ、画像を表示する表示部となると共に、操作パネルとしても機能する。図５に示すように、表示パネル３は、装置本体２の左側面２ｄ側に回動されることにより装置本体２の外筐体の一部をなすパネル筐体３０と、パネル筐体３０内に配設された液晶モジュール３１と、液晶モジュール３１に重畳されるタッチパネル３２と、液晶モジュール３１及びタッチパネル３２のパネル筐体３０内におけるガタ取りを行うと共にアースを行う導電シート３４とを備える。液晶モジュール３１とタッチパネル３２とは、一体化されることにより入力表示モジュール３３を構成する。
【００１７】
パネル筐体３０は、入力表示モジュール３３を外方に臨ませるパネルフレーム３０ａと、装置本体２の外側面を構成する外カバー３０ｂとが突き合わせ結合されている。パネルフレーム３０ａは、略矩形状に開口された窓部３５を有し、この窓部３５より入力表示モジュール３３を外方に臨ませている。またパネルフレーム３０ａは、内側面の全周に亘って入力表示モジュール３３を支持する支持縁部３６が形成されている。パネルフレーム３０ａは、この支持縁部３６上に形成された側壁形状等により入力表示モジュール３３が位置決めされて載置され、外カバー３０ｂによって閉塞される。
【００１８】
液晶モジュール３１は、図８に示すように、液晶パネル３１ａとバックライト３１ｂとが結合されて形成されている。液晶パネル３１ａは、横長矩形の平板状をなしており、上偏光板、上ガラス板、液晶層、下ガラス板、下偏光板が積層されて形成されている。液晶パネル３１ａは、電圧をかけることによって液晶分子の向きを変え、光の透過率を増幅させて像を表示する。なお、本実施例における表示パネル３は、ＬＣＤ（Liquid crystal display）を用いているが、有機ＥＬ（Electroluminescence）パネルその他の平面モニタを用いることもできる。この液晶パネル３１ａの表示面側には、タッチパネル３２が接着されて密着され、背面側にはバックライト３１ｂが配設されている。
【００１９】
バックライト３１ｂは、横長矩形の平板状をなしており、液晶パネル３１ａの背面に配置されている光源である。バックライト３１ｂは、液晶パネル３１ｂの背面から光を照らすことにより、液晶パネル３１ａに表示された像を視認可能とする。バックライト３１ｂとしては、例えば、ＬＥＤ（発光ダイオード）が好適であるが、ＥＬ（電界発光ランプ）、ＣＦＬ（陰極蛍光ランプ）等を用いることもできる。
【００２０】
この液晶モジュール３１の表示面側に重畳されるタッチパネル３２は、例えば、相対向する面にそれぞれ透明電極が設けられた２枚のフィルム基板と、２枚のフィルム基板間に介在されるスペーサを備えた、いわゆる抵抗膜式タッチパネルが用いられる。この抵抗膜式タッチパネルは、一方のフィルム基板が押圧されると、当該一方のフィルム基板の透明電極が他方のフィルム基板の透明電極に接触し、これにより、押圧された位置を検出して装置に対する入力操作が行われる。なお、タッチパネル３２は、かかる抵抗膜式タッチパネル以外にも静電容量式や超音波式等の各種のタッチパネルを用いることもできる。
【００２１】
そして、液晶モジュール３１にタッチパネル３２が重畳されることにより入力表示モジュール３３が形成される。入力表示モジュール３３は、パネルフレーム３０ａの支持縁部３６上に形成された側壁形状に応じた外形形状をなし、図６に示すように、導電シート３４を介して支持縁部３６上に載置されることによりパネルフレーム３０ａの側壁形状に嵌合して位置決めされる。そして、入力表示モジュール３３は、パネルフレーム３０ａと外カバー３０ｂとが組み付けられることによりパネル筐体３０内に固定される。
【００２２】
次いで、パネルフレーム３０ａの支持縁部３６と入力表示モジュール３３との間に介在される導電シート３４について説明する。導電シート３４は、入力表示モジュール３３のパネル筐体３０内におけるガタ取りを行うと共に、アースを行うためのものであり、図７に示すように、支持体４０の一方の面に導電部４１が形成され、支持体４０の他方の面に弾性部４２が形成されてなる。導電シート３４は、導電部４１がパネルフレーム３０ａの支持縁部３６に配設された後述するアース板金５０と接続されることにより、入力表示モジュール３３に生じる静電気を除去する。また導電シート３４は、弾性部４２が入力表示モジュール３３に密着されることにより、パネル筐体３０内におけるがたつきを防止する。
【００２３】
この導電シート３４は、支持体４０として例えば厚さ０．１ｍｍのＰＥＴ（polyethylene terephthalate）が用いられる。また導電シート３４は、支持体４０の一面４０ａに、例えば層厚０．０２２ｍｍの接着剤層４３を介して、例えば厚さ０．０１８ｍｍの銅箔テープ、あるいは厚さ０．０５ｍｍのアルミ箔テープが貼着されることにより導電部４１が形成される。また導電シート３４は、支持体４０の他面４０ｂに、例えば層厚０．０２５ｍｍの接着剤層４４を介して、例えば厚さ０．５ｍｍの発泡材が貼着されることにより弾性部４２が形成される。これにより、導電シート３４は、総厚として例えば０．６６５ｍｍ±０．１ｍｍ程度に形成される。
【００２４】
かかる導電シート３４は、先ず、ＰＥＴ等からなる支持体４０の一面４０ａに接着剤層４３を介して銅箔テープあるいはアルミ箔テープを貼着すると共に、支持体４０の他面４０ｂに接着剤層４４を介して発泡剤を貼着することにより、導電部４２及び弾性部４３を備えたシート体を形成する。次いで、このシート体を、パネルフレーム３０ａの支持縁部３６の形状に応じて打ち抜くことにより、導電シート３４が形成される。導電シート３４は、支持縁部３６の形状に応じて打ち抜き形成されているため、パネルフレーム３０ａの支持縁部３６上に載置されることにより位置決めが図られる。
【００２５】
導電シート３４の導電部４１は、パネルフレーム３０ａに支持されるアース板金５０と当接される。図８に図６におけるＡ−Ａ断面図を示す。アース板金５０は、図５及び図８に示すように、所定箇所にパネル筐体３０を挿通した連結ネジに共締めされるネジ孔５３が形成されると共にパネルフレーム３０ａの側壁に係止可能に折り曲げ形成された板金が用いられる。アース板金５０は、パネルフレーム３０ａの側壁に係止されることにより、一端側に形成された載置面５０ａが支持縁部３６上に載置されて導電シート３４の導電部４１が密着される。これにより、導電シート３４は、パネルフレーム３０ａの窓部３５を介して外方に臨まされた入力表示モジュール３３に生じる静電気を除去することができる。
【００２６】
なお、アース板金５０は、バックライト３１ｂから導出されている導電板５１と当接される当接面５０ｂが折り曲げ形成されており、バックライト３１のアースも行っている。アース板金５０の当接面５０ｂには、外カバー３０ｂを挿通した連結ネジによって共締めされるネジ孔５４が穿設されている。
【００２７】
以上のような表示パネル３は、パネルフレーム３０ａの側壁にアース板金５０を係止させるとともに載置面５０ａを支持縁部３６上に載置した後、パネルフレーム３０ａの支持縁部３６上に、導電シート３４を載置する。導電シート３４は、導電部４１を支持縁部３６側に向けて載置されることにより、導電部４１とアース板金５０の載置面５０ａとが当接される。また、導電シート３４は、パネルフレーム３０ａの形状に応じて打ち抜き形成されているため、支持縁部３６上に載置されることにより位置決めが図られる。
【００２８】
次いで、パネルフレーム３０ａは、予め製造した入力表示モジュール３３が導電シート３４上に載置される。このとき、入力表示モジュール３３は、導電シート３４の弾性部４２上に載置される。また入力表示モジュール３３は、バックパネル３１ｂから導出されている導電板５１がアース板金５０の当接面５０ｂに当接される。これにより、パネルフレーム３０ａは、窓部３５から入力表示モジュール３３が臨む。
【００２９】
次いで、パネルフレーム３０ａに外カバー３０ｂが組み付けられることにより、パネル筐体３０が形成され、入力表示モジュール３３及び導電シート３４がパネルフレーム３０ａ及び外カバー３０ｂに挟持される。このとき、表示パネル３は、弾性部４２が形成された導電シート３４が支持縁部３６と入力表示モジュール３３との間に介在されているため、この弾性部４２が圧縮することによりパネル筐体３０内における入力表示モジュール３３のがたつきが防止され、かつパネル筐体３０内への塵埃の進入が防止される。また、表示パネル３は、導電シート３４の弾性部４２が圧縮することにより、導電部４１がアース板金５０の載置面５０ａに密着され、電気的に接続される。また、アース板金５０は、パネルフレーム３０ａと外カバー３０ｂとを挿通する連結ネジによってネジ孔５３，５４が共締めされる。
【００３０】
このような表示パネル３は、入力表示モジュール３３のがたつきを防止すると共にアースを行う導電シート３４を用いることにより、パネル筐体３０の薄型化を図ることができ、よってビデオカメラ１の薄型化も図ることができる。すなわち、導電シート３４は、支持体４０の一面４０ａに接着剤層４３を介して銅箔テープあるいはアルミ箔テープ等が貼着されることにより導電部４１を形成すると共に、支持体４０ｂの他面４０ｂに接着剤層４４を介して発泡材等が貼着されることにより弾性部４２が形成されている。
【００３１】
したがって、表示パネル３は、所定の厚さを有するＳＵＳ等の金属フレームからなるアース板を用いる必要がなく、クッション及びアース板を用いる表示パネルに比して薄型化を図ることができる。特に、ＳＵＳ等の金属フレームは、剛性を確保するために所定の厚みを有するため、薄型化が困難であるが、本発明では支持体に銅箔やアルミ箔等の金属箔を貼着することにより導電部４１を形成するため薄型化を容易に図ることができる。
【００３２】
また、表示パネル３は、入力表示モジュール３３のがたつきを防止すると共にアースを行う導電シート３４を用いることにより、材料、製造設備及び組み立て工数の削減を図ることができる。すなわち、表示パネル３は、導電部４１及び弾性部４２を備えた支持体４０をパネルフレーム３０ａの支持縁部３６の形状に応じて打ち抜くことにより導電シート３４が形成されるため、ＳＵＳ等の金属板を打ち抜く場合に比して材料のロスが少ない。また、表示パネル３に用いられる導電シート３４は、一度の打ち抜き工程で形成されるため、アース板及びクッションのそれぞれを所定形状に打ち抜く工程に比して、製造設備及び工数も削減される。さらに、表示パネル３は、パネルフレーム３０ａにアース板及びクッションを載置する工程に比して、導電シート３４を載置するのみであるため、部品点数及び作業工数も削減することができる。
【００３３】
以上、本発明が適用されたビデオカメラ１及び表示パネル３について説明したが、本発明は、表示パネルを備えるあらゆる電子機器、例えば薄型テレビ、デジタルカメラや携帯電話、ＰＤＡ等に適用することができる。また、本発明は、ビデオカメラ１のごとく携帯型の電子機器に限らず、据置型の電子機器にも適用することができる。
【図面の簡単な説明】
【００３４】
【図１】本発明が適用されたビデオカメラを背面側から示す斜視図である。
【図２】本発明が適用されたビデオカメラの表示パネルが回動された状態を示す斜視図である。
【図３】本発明が適用されたビデオカメラのアクセサリシューが開放された状態を示す斜視図である。
【図４】本発明が適用されたビデオカメラの表示パネルを示す外観斜視図である。
【図５】本発明が適用されたビデオカメラの表示パネルを示す分解斜視図である。
【図６】本発明が適用されたビデオカメラの表示パネル内部を示す平面図である。
【図７】導電シートの断面図である。
【図８】図６におけるＡ−Ａ断面図である。
【符号の説明】
【００３５】
１  ビデオカメラ、２  機器本体、３  表示パネル、２５  ヒンジ機構、３０  パネル筐体、３０ａ  パネルフレーム、３０ｂ  外カバー、３１  液晶モジュール、３１ａ  液晶パネル、３１ｂ  バックライト、３２  タッチパネル、３３入力表示モジュール、３４  導電シート、３５  窓部、３６  支持縁部、４０  支持体、４１  導電部、４２  弾性部、４３，４４  接着剤層、５０  アース板金、５１  導電板、５２  当接部
【図１】
2009162891.tif 000003
【図２】
2009162891.tif 000004
【図３】
2009162891.tif 000005
【図４】
2009162891.tif 000006
【図５】
2009162891.tif 000007
【図６】
2009162891.tif 000008
【図７】
2009162891.tif 000009
【図８】
2009162891.tif 000010